(57)【要約】【課題】電車などの車内ではスーツケース等は床に置いておいた際、どうしても乗り物の揺れなどで動き回ったり走ってしまうので、持ち主はいつも手で押さえてたり見張っていなければならず、困ることが多かった。本発明は、スーツケース等が電車内などでどうしても動き回るのを防ぐためのスーツケースの走り止め具を提供する。【解決手段】上段に硬くて弾力のある材質のキャスター受け具を設け、キャスター受け具上部の外周は下に裾が広がっており、内周内側には円形状のスペースを設け、下段に軟らかくてスポンジ状の反発力のある材質の円柱形の受け具台を設けて、この上段下段二つの部材を合わせたスーツケースの走り止め具。【選択図】図１
2017051577.tif 000002
【特許請求の範囲】
【請求項１】
上段に硬くて弾力のある材質のキャスター受け具を設け、キャスター受け具上部の外周は下に裾が広がっており、内周内側には円形状のスペースを設け、下段に軟らかくてスポンジ状の反発力のある材質の円柱形の受け具台を設けて、この上段下段二つの部材を合わせたスーツケースの走り止め具。
【発明の詳細な説明】
【技術分野】
【０００１】  本発明は、スーツケースやキャリーバッグが電車やバス車内などで床に置いておいた際どうしても動き回るのを防ぐための、スーツケースの走り止め具に関するものである。
【背景技術】
【０００２】  従来、スーツケースやキャリーバッグ（４輪キャスター付き）は電車やバス車内などでは床に置いておいた際どうしてもその乗り物の揺れや運動にともなって動いて、また不意に思いがけない方へ走っていってしまうのである。
なお、最近ではそれを防ぐためにスーツケースなどのキャスターにブレーキやロック機能を設けたり、本体部にワイヤーを取り付けてなにかに動かないように引っ掛けておく物が出てきている。（特許文献１、２、３参照）
【先行技術文献】
【特許文献】
【０００３】
【特許文献１】  特開２０１４−２１７５８９号公報
【特許文献２】  特開２０１５−０３７９０７号公報
【特許文献３】  実登３１３９０２６号公報
【発明の概要】
【発明が解決しようとする課題】
【０００４】  これは次のような問題点がある。
従来、電車内などでスーツケース等の持ち主は、スーツケース等が床に置いた時どうしても動き回ったり走ったりするので、いつも手で押さえたり見張っていなければならなく、これは困ることが多かった。
そのために最近では特許文献１、特許文献２、特許文献３などの物があるが、３点ともスーツケース等が電車内などで動かないようにするにはそれらのスーツケース等をまた新たに購入する必要があり、現在所有している物がまだ壊れていないのに、動き回らないようにするためだけに大きな出費をもって新品をまた買うのは大変不経済である。それに、新規に購入する場合にしても、動いてあるかないという利便性だけを重視していては、お客は本当に好みの商品を自由に選ぶことができず、とても不便である。
また、特許文献１、特許文献２、特許文献３の物はいずれも動かないようにするためのブレーキやロック機能などのための製造コストがよけいにかかる機械式であり、スーツケース自体の全重量もその分重くなる。それに消耗の激しいキャスター本体以外の壊れも将来起こり得る心配がある。特許文献３の物では、ワイヤーを引っ掛けておける箇所がいつもあるとは限らないので不便である。
本発明は、以上の問題点を解決するためになされたものである。
【課題を解決するための手段】
【０００５】  上段に硬くて弾力のある材質のキャスター受け具を設け、キャスター受け具上部の外周は下に裾が広がっており、内周内側には円形状のスペースを設け、下段に軟らかくてスポンジ状の反発力のある材質の円柱形の受け具台を設けて、この上段下段二つの部材を合わせる。
以上の構成よりなる、スーツケースの走り止め具。
【発明の効果】
【０００６】  本発明は、スーツケース等の電車内などでの動き回りや走りを大幅に抑えることができるため、スーツケース等の持ち主はいつも手で押さえている必要がなくなり、安心して目を離していられるようになる。
この本発明があれば、ブレーキやロック機能などが付いたスーツケース等を新たに購入する必要もなく、現在持っている物をそのまま継続して使用できるので非常に経済的である。また、これからスーツケース等を新規に購入しようとするお客は、ブレーキ機能などの性能のある商品にこだわることがなくなり、より多くの商品の中から自分の好みの物を自由に選ぶことができるようになる。
さらに、本発明は製造コストもかからず、スーツケースの重量もまったく増えない。機械式でないため故障も発生しない。そして簡単に持って歩け、いつでもどこでも場所を選ばずに使える。
本発明は、キャスターの転がりを完全に止めるものではないが、スーツケースが電車内などで大きく走り回ることがなくなるので、安心感をもって使うのに充分である。
【図面の簡単な説明】
【０００７】
【図１】  本発明の斜視図である。
【図２】  本発明の断面図である。
【図３】  本発明の使用状態図である。
【発明を実施するための形態】
【０００８】  以下、本発明を実施するための形態について説明する。
（イ）本発明の構造は上段と下段に分れており、上段に丸く硬く弾力があり、一種のゴム      製の椅子キャップ状のキャスター受け具（１）を設ける。
（ロ）キャスター受け具（１）は外周（６）と内周（７）に分れており、外周（６）は裾      が下に向かい広がってる形状に作る。
（ハ）キャスター受け具（１）上部の内周（７）内側には円形状のスペースを設け、その      スペースはスーツケース（３）のキャスター（４）の車輪を一つ容易に乗せること      ができ、かつそのキャスター（４）の車輪が十分に回転できる大きさとする。
（ニ）キャスター受け具（１）の外周（６）と内周（７）間の壁にはキャスター（４）の      車輪が容易に飛び出さないように強度と高さを設ける。
（ホ）下段には、軟らかくて反発力のあるスポンジ状の、隙間テープのようなポリウレタ      ンフォーム素材でできた受け具台（２）を設ける。
（ヘ）受け具台（２）の大きさはキャスター受け具（１）よりひとまわり小さくし、形は      円柱形に作る。
（ト）上段の円形状のスペースがない方を下にして、上・下段二つを中心を合わせてしっ      かりとくっつけ、一つの物に固定する。
本発明は以上のような構造である。
【０００９】  本発明を使用するときは、電車内などでスーツケース（３）等を置く際、スーツケースのキャスター（４）の車輪と床面との間に、スーツケースの走り止め具（５）をはさんで（かませて）使用する。キャスター受け具（１）の上部の内側に円形状のスペースが設けられてあり、スーツケースのキャスター（４）を一つ乗せることができるようになっている。そのスペースにキャスター（４）のどれかを乗せることができれば、キャスター（４）全部が動き回る場合でも、下にスーツケースの走り止め具（５）を置かれた（はさまれた）キャスター（４）の車輪だけはその円形状の狭いスペース内に乗っているので、そのキャスターの動きは極端にそのスペース内だけに限定されてしまい、キャスターの動きは全体では大幅に制限されて、スーツケース（３）自体は乗り物の揺れているときでも大きく動き回れない。その結果、スーツケース（３）はほとんど最初に置いた位置に停止しているか、動いた場合でも気にならないような小さな動きであるため、ひとりで遠くまで走っていき他人に迷惑をかけることはなくなる。なお、キャスター（４）の車輪がそのスペースの外に簡単に飛び出ないように、キャスター受け具（１）の上部の外周（６）と内周（７）間の壁も充分な厚みと高さをとってある。本発明ではスーツケース（３）を完全に停止させておくことはできないが、スーツケース（３）の動きを完全に止めることが大事なのではなく、スーツケース（３）の持ち主がどれだけ安心して目を離していられかが問題であるので十分である。それに、スーツケース（３）に急激な負荷がかかったときでも、スーツケースの走り止め具（５）自体の少しの横の動き（遊び）があるため、その負荷を緩和する（逃がす）ことができ、スーツケース（３）が完全に停止してる状態よりも横に倒れにくくなる。
【００１０】  本発明の使用方法は、まず先にスーツケース（３）の左右どちらか片側を少し上に持ち上げてあげて、上がったスーツケースのキャスター（４）の車輪１輪と床の間に、スーツケースの走り止め具（５）をはさむように、キャスター受け具（１）を上にして置く。次に、床に置いてあるスーツケースの走り止め具（５）上段にある、キャスター受け具（１）の上の内側に設けられた円形状のスペース内に、持ち上げてたスーツケースのキャスター（４）の車輪一つだけをちょうど入るように落としてあげる。そうしてキャスター（４）が一つだけスーツケースの走り止め具（５）をはさんだ状態のままスーツケース（３）を床に下ろして置いてやる。このとき厳密に言えば、スーツケース（３）は床に挿んである分だけ斜めに置いたことになるが、受け具台（２）はスポンジ状のため完全につぶれたような状態になっているので、スーツケース（３）を置くのにはまったく支障がない。
また、キャスター受け具（１）外周（６）は下側に裾が広がる構造になっている。これは、キャスター（４）に大きく負荷がかかったとき、キャスター受け具（１）がキャスター（４）の車輪に返されないように、少しでも起こされにくくするためである。
【００１１】  本発明は以上のように、スーツケースの走り止め具（５）の上部の円形状のスペースにスーツケースのキャスター（４）を一つ乗せることにより、乗り物等の走行中の運動などを間接的に大幅に抑えることができ、結果スーツケース（３）はひとりで大きく動き回らなくなり、また遠くへ走っていかなくなる。
【００１２】  本発明では、受け具台（２）は反発力のあるスポンジ状のポリウレタンフォーム素材を用いてあるため、上に乗せたスーツケース（３）の重さで床面に向かって深く縮み、受け具台（２）がない場合よりもスーツケースの走り止め具（５）の全体の停止効果がそのときの摩擦力によって向上し、より一層滑らなくなっている。スーツケース（３）を降ろすと、受け具台（２）はすぐに反発力で元に戻る。また、受け具台（２）はキャスター受け具（１）よりひとまわり小さく、適度な軟らかさのあるスポンジ状の素材を用いてあるため、キャスター（４）に大きく負荷がかかっても、受け具台（２）は自在に縮み込み、その負荷を吸収しやわらげる。このとき、受け具台（２）があまり硬い材質でできていたり、キャスター受け具（１）に対して大き過ぎると、キャスター（４）の車輪はスーツケースの走り止め具（５）ごと踏み台にして同走り止め具を飛び越えてしまって役に立たない。
そして、キャスター受け具（１）部材はプラスティック製ではなく、弾力性のある硬いゴム製であるが、スーツケースの走り止め具（５）が傾いて、床面に対して同端が斜めに接したとき、ゴム製の材質ゆえに一層のブレーキ効果がある。また、キャスター（４）の車輪がキャスター受け具（１）の外側にはみ出そうになったとき、キャスター受け具（１）はゴム製のために幾分伸びることとなり、キャスターの車輪は一層飛び出しにくくなる。それにゴム製であることは、車内などの床面で本発明を使用しても傷つかず、本発明のキャスター受け具（１）にはもっとも適している。
【００１３】  この本発明は、キャスター（４）が４輪式のものであればほとんどのスーツケース（３）等に使える。なお、キャスター（４）の車輪２輪まで使用する方がより安心ではあるが、キャスター（４）の２輪をスーツケース（３）の走り止め具に手際よくうまく乗せるのに時間がかかることもある。
【符号の説明】
【００１４】    １  キャスター受け具    ２  受け具台
３  スーツケース        ４  キャスター
５  スーツケースの走り止め具    ６  外周    ７  内周
【図１】
2017051577.tif 000003
【図２】
2017051577.tif 000004
【図３】
2017051577.tif 000005